(57)【要約】【課題】利用者に対して、ＩＣカードのライフサイクルステータスを可視的な手段で明示し、ＩＣカードの不正利用の抑制が可能な、ＩＣカード、ＩＣカード用リーダ・ライタおよびＩＣカードの状態管理方法を提供することを目的とする。【解決手段】ＩＣカードに該ＩＣカードのライフサイクルステータスを記録する状態記録部およびライフサイクルステータスを印字する印字部を設け、ＩＣカード用リーダ・ライタに印字ヘッドおよび状態表示部を設け、ＩＣカードのライフサイクルステータスの遷移が生じた場合、ＩＣカードの印字部にライフサイクルステータスを印字し、ＩＣカード用リーダ・ライタの状態表示部にライフサイクルステータスを表示することを特徴とするＩＣカード、ＩＣカード用リーダ・ライタ、ＩＣカードの状態管理方法を提供する。【選択図】　図５
2004110087.tif 000002
【特許請求の範囲】
【請求項１】
不揮発性半導体メモリより成る記憶手段と、該記憶手段に記憶されるデータの読み出しおよび書き込みを行うデータ処理手段を有するＩＣカードであって、
前記記憶手段が、該ＩＣカードのライフサイクルステータスを記憶する状態記録部を備え、
表面および裏面の少なくともどちらか一面に、前記ステータス記録部に記録したＩＣカードのライフサイクルステータスを印字する印字部を備える、
ことを特徴とするＩＣカード。
【請求項２】
請求項１記載のＩＣカードであって、
前記印字部が、
前記ステータス記録部に記録したＩＣカードのライフサイクルステータスを印字する状態印字部と、
該ライフサイクルステータスに状態が移動した日時情報を印字する日時印字部と、
を備えることを特徴とするＩＣカード。
【請求項３】
請求項１または２記載のＩＣカードであって、
前記印字部を、
サーマルリライトパネルにより構成すること、
を特徴とするＩＣカード。
【請求項４】
不揮発性半導体メモリより成る記憶手段と、該記憶手段に記憶されるデータの読み出しおよび書き込みを行うデータ処理手段を有するＩＣカードに対して、データの読み出しおよび書き込みを行うＩＣカード用リーダ・ライタであって、
該ＩＣカードが備える記憶手段に対して、該ＩＣカードのライフサイクルステータスを書き込む状態記録手段、
を備えることを特徴とするＩＣカード用リーダ・ライタ。
【請求項５】
請求項４記載のＩＣカード用リーダ・ライタであって、
該ＩＣカードのライフサイクルステータスを表示する状態表示部、
を備えることを特徴とするＩＣカード用リーダ・ライタ。
【請求項６】
請求項４または５記載のＩＣカード用リーダ・ライタであって、
該ＩＣカードが備える印字部に対して、該ＩＣカードのライフサイクルステータスを印字する印字ヘッド、
を備えることを特徴とするＩＣカード用リーダ・ライタ。
【請求項７】
請求項４から６のいずれかに記載のＩＣカード用リーダ・ライタであって、
前記印字ヘッドが、
サーマルプリントヘッドにより構成する、
ことを特徴とするＩＣカード用リーダ・ライタ。
【請求項８】
請求項４から７のいずれかに記載のＩＣカード用リーダ・ライタであって、
該ＩＣカードが備える記憶手段に記録した、該ＩＣカードのライフサイクルステータスを読み出す状態読み出し手段、
を備えることを特徴とするＩＣカード用リーダ・ライタ。
【請求項９】
不揮発性半導体メモリより成る記憶手段と、該記憶手段に記憶されるデータの読み出しおよび書き込みを行うデータ処理手段を有するＩＣカードのライフサイクルの状態を管理する方法であって、
ＩＣカードを、データの読み出しおよび書き込みを行うＩＣカード用リーダ・ライタに挿入する段階と、
該ＩＣカードのライフサイクルステータスの遷移が生じる段階と、
該ＩＣカードが備える記憶手段に対して、該ライフサイクルステータスを書き込む段階と、
該ＩＣカードが備える印字部に対して、該ＩＣカード用リーダ・ライタが備える印字ヘッドにより、該ライフサイクルステータスを印字する段階と、
該ＩＣカード用リーダ・ライタが備える状態表示部に、該ライフサイクルステータスを表示する段階と、
を設けたことを特徴とするＩＣカードの状態管理方法。
【請求項１０】
請求項９の記載のＩＣカードの状態管理方法であって、
前記ＩＣカードを、ＩＣカード用リーダ・ライタに挿入する段階において、
該ＩＣカードの記憶手段に記録されているライフサイクルステータスを読み出す段階と、
該ＩＣカード用リーダ・ライタが備える状態表示部に、読み出したライフサイクルステータスを表示する段階と、
を設けたことを特徴とするＩＣカードの状態管理方法。
【発明の詳細な説明】
【０００１】
【発明の属する技術分野】
本発明は、不揮発性半導体メモリより成る記憶手段と、該記憶手段に記憶されるデータの読み出しおよび書き込みを行うデータ処理手段を有するＩＣカードに関し、特に、ＩＣカードのライフサイクルステータスを用いた不正利用の防止に関するものである。
【０００２】
【従来の技術】
ＩＣカードのオープンな規格を策定する国際的な団体であるＧｌｏｂａｌ　Ｐｌａｔｆｏｒｍでは、業界標準のカード仕様として、１）最低限の機能が活性化された状態（ＯＰ　ＲＥＡＤＹ）、２）初期化された状態（ＩＮＩＴＩＡＬＩＺＥＤ）、３）安全に使用できる状態（ＳＥＣＵＲＥＤ）、４）ロック状態（ＣＡＲＤ　ＬＯＣＫＥＤ）、５）機能が終了した状態（ＴＥＲＭＩＮＡＴＥＤ）、の５つのライフサイクルステータスおよび遷移条件を定義し、ライフサイクルステータスをＩＣカードに書き込むことによるライフサイクル管理を提案している（非特許文献１参照。）。
【０００３】
該仕様においては、ホスト側からライフサイクルステータスの取得要求を出すことにより、ホストだけがＩＣカード内に書き込んだライフサイクルステータスを取得することが可能であるが、例えばＩＣカードの外観から状態を確認する手段などは定義されていない。
【０００４】
また、従来、ＩＣカードにおいては、不正使用などが行われた場合など、該ＩＣカードを無効化し、該ＩＣカードの無効を示すフラグなどの不正使用に係るデータを該ＩＣカードに書き込むことがある（例えば、特許文献１参照。）。
【０００５】
しかしながら、ＩＣカードに不正使用に係るデータを書き込む方法は、ＩＣカード用のリーダ・ライタを用いる場合は、該ＩＣカードの無効を確実にチェックすることができるが、インプリンタなどにより対面方式で該ＩＣカードを処理する場合には、該ＩＣカードの外観が有効なＩＣカードと同様に見えるため、不正使用されてしまう可能性が残るという問題がある。
【０００６】
また、ＩＣカードが有する記憶手段に、該ＩＣカードが無効であることを示すデータを書き込む、と同時に、該ＩＣカードの表面に表示するようにしているものもある（例えば、特許文献２参照。）。
【０００７】
上述のＩＣカードの表面に表示する方法は、ＩＣカード上に設けた液晶表示装置などに表示を行うため、液晶表示装置および該液晶表示装置の制御手段の搭載などが必要であり、ＩＣカード１枚当たりのコストが嵩むという問題がある。
【０００８】
【特許文献１】
特開平７−２６７７５号公報
【特許文献２】
特開２００１−１７５８２４号公報
【非特許文献１】
「オープン・プラットフォーム・カード・スペシフィケーション（Ｏｐｅｎ　Ｐｌａｔｆｏｒｍ　Ｃａｒｄ　Ｓｐｅｃｉｆｉｃａｔｉｏｎ　Ｖｅｒｓｉｏｎ　２．１）」，グローバル・プラットフォーム（Ｇｌｏｂａｌ　Ｐｌａｔｆｏｒｍ），２００１年６月４日，ｐ．３８−３９
【０００９】
【発明が解決しようとする課題】
本発明は上述の問題点に鑑みてなされたものであり、利用者に対して、ＩＣカードのライフサイクルステータスを可視的な手段で明示し、ＩＣカードの不正利用の抑制が可能な、ＩＣカード、ＩＣカード用リーダ・ライタおよびＩＣカードの状態管理方法を提供することを目的とする。
【００１０】
【課題を解決するための手段】
上記目的を達成するために、本発明の第１の態様は、不揮発性半導体メモリより成る記憶手段と該記憶手段に記憶されるデータの読み出しおよび書き込みを行うデータ処理手段を有するＩＣカードにおいて、前記記憶手段に、該ＩＣカードのライフサイクルステータスを記憶する状態記録部を設け、表面および裏面の少なくともどちらか一面に前記ステータス記録部に記録したＩＣカードのライフサイクルステータスを印字する印字部を設けたものである。
【００１１】
本発明の第２の態様は、上述の第１の態様に係るＩＣカードにおいて、前記印字部に、前記ステータス記録部に記録したＩＣカードのライフサイクルステータスを印字する状態印字部と、該ライフサイクルステータスに状態が移動した日時情報を印字する日時印字部とを設けたものである。
【００１２】
本発明の第３の態様は、上述の第１または２の態様に係るＩＣカードにおいて、前記印字部を、サーマルリライトパネルにより構成するようにしたものである。
【００１３】
本発明の第４の態様は、不揮発性半導体メモリより成る記憶手段と該記憶手段に記憶されるデータの読み出しおよび書き込みを行うデータ処理手段を有するＩＣカードに対してデータの読み出しおよび書き込みを行うＩＣカード用リーダ・ライタにおいて、該ＩＣカードが備える記憶手段に対して該ＩＣカードのライフサイクルステータスを書き込む状態記録手段を設けたものである。
【００１４】
本発明の第５の態様は、上述の第４の態様に係るＩＣカード用リーダ・ライタにおいて、該ＩＣカードのライフサイクルステータスを表示する状態表示部を設けたものである。
【００１５】
本発明の第６の態様は、上述の第４または５の態様に係るＩＣカード用リーダ・ライタにおいて、該ＩＣカードが備える印字部に対して該ＩＣカードのライフサイクルステータスを印字する印字ヘッドを設けたものである。
【００１６】
本発明の第７の態様は、上述の第４から６の態様に係るＩＣカード用リーダ・ライタにおいて、前記印字ヘッドを、サーマルプリントヘッドにより構成するようにしたものである。
【００１７】
本発明の第８の態様は、上述の第４から７の態様に係るＩＣカード用リーダ・ライタにおいて、該ＩＣカードが備える記憶手段に記録した該ＩＣカードのライフサイクルステータスを読み出す状態読み出し手段を設けたものである。
【００１８】
本発明の第９の態様は、不揮発性半導体メモリより成る記憶手段と該記憶手段に記憶されるデータの読み出しおよび書き込みを行うデータ処理手段を有するＩＣカードのライフサイクルの状態を管理する方法において、ＩＣカードをデータの読み出しおよび書き込みを行うＩＣカード用リーダ・ライタに挿入する段階と、該ＩＣカードのライフサイクルステータスの遷移が生じる段階と、該ＩＣカードが備える記憶手段に対して該ライフサイクルステータスを書き込む段階と、該ＩＣカードが備える印字部に対して該ＩＣカード用リーダ・ライタが備える印字ヘッドにより該ライフサイクルステータスを印字する段階と、該ＩＣカード用リーダ・ライタが備える状態表示部に該ライフサイクルステータスを表示する段階とを行うようにしたものである。
【００１９】
本発明の第１０の態様は、上述の第９の態様に係るＩＣカードの状態管理方法において、前記ＩＣカードをＩＣカード用リーダ・ライタに挿入する段階において、該ＩＣカードの記憶手段に記録されているライフサイクルステータスを読み出す段階と、該ＩＣカード用リーダ・ライタが備える状態表示部に読み出したライフサイクルステータスを表示する段階とを行うようにしたものである。
【００２０】
【発明の実施の形態】
以下、本発明を図示する実施形態に基づいて説明する。図１は、本発明のＩＣカード１の外観図である。
【００２１】
ＩＣカード１は、基材部分２の表面、裏面の少なくともどちらか片面に、状態印字部３および日時印字部４から成る印字部５を備えている。印字部５は、ロイコ染料などの素材を用いた熱による書き換え可能なサーマルリライトパネルにより構成する。
【００２２】
図２は、ＩＣカード１の内部構造の模式図である。ＩＣカード１は、Ｉ／Ｏ制御部６、ＣＰＵ７、記憶手段８、プログラム格納部９、作業用メモリ１０を備えている。
【００２３】
Ｉ／Ｏ制御部６は、ＩＣカード１がＩＣカード用リーダ・ライタ１２と通信を行うためのインタフェースである。
【００２４】
ＣＰＵ７は、プログラム格納部９内に記録している様々な処理プログラムを実行するものである。処理プログラムを実行する際に、必要に応じて記憶手段８や作業用メモリ１０を使用する。
【００２５】
記憶手段８は、実際には不揮発メモリであるＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）であり、様々なデータを保持するのに使用するが、その一部に該ＩＣカード１のライフサイクルステータスを記憶する状態記録部１１を備えている。
【００２６】
プログラム格納部９は、ＣＰＵ７が実行可能な処理プログラムを記録するものである。カード製造時に記録するＲＯＭ（Ｒｅａｄ　Ｏｎｌｙ　Ｍｅｍｏｒｙ）か、マルチアプリケーションを搭載可能なスマートカードのように、処理プログラムをロードして使用することが可能なＥＥＰＲＯＭがある。
【００２７】
作業用メモリ１０は、上述のようにＣＰＵ７が処理プログラムを実行する際に、一時的な作業データなどを読み書きするメモリである。
【００２８】
図３は、ＩＣカード用リーダ・ライタ１２の上面図および正面図である。ＩＣカード用リーダ・ライタ１２は、挿入口１３、状態表示部１４を備えている。
【００２９】
状態表示部１４は、例えば液晶表示装置などにより構成され、挿入口１３に挿入したＩＣカード１のライフサイクルステータスを表示するものである。
【００３０】
また、図４は、ＩＣカード用リーダ・ライタ１２の内部におけるＩＣカード１へ接触する部分近辺の模式図である。
【００３１】
ＩＣカード用リーダ・ライタ１２の内部には、印字ヘッド１５、接触型端子部１６が設けられている。
【００３２】
印字ヘッド１５は、実際にはサーマルプリントヘッドやスタンプなどの印字用装置であり、該ＩＣカード１のカードライフステータスをＩＣカード１の印字部５に印字するものである。
【００３３】
接触型端子部１６は、ＩＣカード１の表面に設置したＩＣコンタクト部１７と接触することで、ＩＣカード１に対してデータの読み出しおよび書き込みを行う電気的なインタフェースである。
【００３４】
更に、ＩＣカード用リーダ・ライタ１２は、接触型端子部１６、ＩＣコンタクト部１７、Ｉ／Ｏ制御部６などを介して、該ＩＣカード１のライフサイクルステータスを状態記録部１１に記録する状態記録手段（図示せず）を備えている。
【００３５】
次に、図５に示すフローチャートに基づき、本発明のＩＣカードの状態管理方法について説明する。
【００３６】
まず、ＩＣカード用リーダ・ライタ１２の挿入口１３よりＩＣカード１を挿入する。
【００３７】
一般的なＩＣカードの利用と同様に、個人認証などのＩＣカード１に格納されている処理プログラムを実行する。
【００３８】
この時、例えば、該ＩＣカード１のライフサイクルステータスを遷移させる動作を行ったり、遷移すべき事象が発生した場合、接触型端子部１６、ＩＣコンタクト部１７、Ｉ／Ｏ制御部６などを介して、該ＩＣカード１の状態記録部１１に該ライフサイクルステータスおよび日時を記録する。
【００３９】
更に、印字ヘッド１５により、上述のライフサイクルステータスを該ＩＣカード１の状態印字部３に、上述の遷移が生じた日時を日時印字部４に印字する。図６に、該ＩＣカード１への印字例を示す。
【００４０】
更に、ＩＣカード用リーダ・ライタ１２に設けた状態表示部１４上に、該ライフサイクルステータスを表示し、ＩＣカード１をＩＣカード用リーダ・ライタ１２から排出する。
【００４１】
以上、本発明を実施の形態に基づいて詳細に説明してきたが、本発明によるＩＣカード、ＩＣカード用リーダ・ライタ、ＩＣカードの状態管理方法は、上述の実施の形態に何ら限定されるものではなく、本発明の趣旨を逸脱しない範囲において種々の変更が可能なことは当然のことである。
【００４２】
例えば、ＩＣカード用リーダ・ライタ１２に、状態記録部１１に記録したライフサイクルステータスを読み出す状態読み出し手段を設け、ＩＣカード１を挿入する都度、該ＩＣカードのライフサイクルステータスを状態表示部１４に表示することも可能である。
【００４３】
【発明の効果】
以上のとおり、本発明に係るＩＣカードによれば、該ＩＣカードのライフサイクルステータスを、ＩＣカードの記憶手段に書き込むだけでなく、ＩＣカードの表面にも印字するため、ＩＣカードと通信せずに、該ＩＣカードの状態を視覚的に確認することが可能になる。
【００４４】
また、ＩＣカードのライフサイクルステータスが遷移した日時をＩＣカード表面に印字することにより、ホスト側に保持するトランザクションログとの比較が容易になり、原因となった操作や事象、使用者などの特定を行うことが容易になる。
【００４５】
また、ＩＣカード用リーダ・ライタにも状態表示部を設け、該ＩＣカードのライフサイクルステータスを表示するため、例えば、カードがターミネート（無効化）されたことを、使用者や操作者に明示することができ、これは、例えば、不正使用を牽制する効果がある。
【図面の簡単な説明】
【図１】本発明のＩＣカードの外観図である。
【図２】本発明のＩＣカードの内部構成の模式図である。
【図３】本発明のＩＣカード用リーダ・ライタの上面図および正面図である。
【図４】本発明のＩＣカード用リーダ・ライタの内部におけるＩＣカードへ接触する部分近辺の模式図である。
【図５】本発明のＩＣカードの状態管理を示すフローチャートである。
【図６】本発明のＩＣカードへのライフサイクルステータスの印字例である。
【符号の説明】
１　ＩＣカード
２　基材部分
３　状態印字部
４　日時印字部
５　印字部
６　Ｉ／Ｏ制御部
７　ＣＰＵ
８　記憶手段
９　プログラム格納部
１０　作業用メモリ
１１　状態記憶部
１２　ＩＣカード用リーダ・ライタ
１３　挿入口
１４　状態表示部
１５　印字ヘッド
１６　接触型端子部
１７　ＩＣコンタクト部
【図１】
2004110087.tif 000003
【図２】
2004110087.tif 000004
【図３】
2004110087.tif 000005
【図４】
2004110087.tif 000006
【図５】
2004110087.tif 000007
【図６】
2004110087.tif 000008